(57)【特許請求の範囲】
【請求項１】
筒状のシリンダの一端に連通連設された筒状の接続部に対してキャップが取り外し可能に封着されるとともに、先端にピストンを有するプランジャーが軸線方向で移動可能にシリンダ内に装填されることで、前記シリンダ内に薬液が封入されたシリンジと、前記接続部に取り付け可能に構成され、該接続部を介してシリンダから流入する薬液を放出可能に構成された先端具とを備え、キャップを取り外した接続部に取り付けられた先端具から薬液を投与するように構成されたシリンジ式投薬キットであって、未使用の先端具を収容する収容ケースを備え、該収容ケースは、前記未使用の先端具が収容されるとともに該先端具を取り出すべく開封可能に構成された収容部と、該収容部に連設されて所定方向に延びる延出部とを備え、前記プランジャーには、基端から先端側に向けて延びて前記延出部が圧入される収容ケース取付部が形成されていることを特徴とするシリンジ式投薬キット。
【請求項２】
前記収容ケース取付部は、円筒状に形成される一方、前記延出部は、収容部側の基端から先端側に向けて先細りして外観円錐状又は円錐台状に形成されている請求項１に記載のシリンジ式投薬キット。
【請求項３】
前記延出部の外周又は収容ケース取付部の内周の少なくとも何れか一方には、周方向に間隔をあけて延出部の圧入方向に延びる複数の凸条が形成されている請求項２記載のシリンジ式投薬キット。
【請求項４】
前記収容部は、少なくとも一端に開口を形成し、且つ先端具を包囲するように筒状に形成された壁部と、該壁部の一端開口を封止するように、壁部の一端に剥離可能に貼着されたシート状の蓋材とを備え、前記延出部は、前記壁部の他端に直接的又は間接的に連設されている請求項１乃至３に記載のシリンジ式投薬キット。
【請求項５】
前記先端具は、接続部に螺合可能に構成された外観円柱状のスプレーノズルであり、前記収容部は、収容した先端具が壁部と同心又は略同心となるよう、壁部の内周面が先端具の外周面に接触又は略接触するように壁部の内径が設定されている請求項４に記載のシリンジ式投薬キット。
【発明の詳細な説明】
【技術分野】
【０００１】
本発明は、処置に応じた薬液を投与するためのシリンジ式投薬キットに関する。
【背景技術】
【０００２】
従来、患者の疾患に応じた薬液を注射によって投与するに当り、シリンジに取り付けた注射針から容器内の薬液を吸引してシリンジに充填するようにしていたが、このような一連の作業が繁雑であり、また、人為的なミスで誤った薬液が充填される虞もあるとして、近年においては、処置に応じた薬液を予め充填したシリンジと注射針とが一組のセットとされたシリンジ式投薬キットが提供されている。かかるシリンジ式投薬キットは、処置を行う際にシリンジに注射針を取り付けるだけで薬液を投与できる状態にすることができるため、作業負担を軽減することができる上に誤った薬液が充填される可能性を低くすることができる等といったメリットから普及しつつある。
【０００３】
ところで、近年の薬剤（薬液）の進歩に伴い、薬液を患部に向けて噴霧することで投薬する処置方法が提案され、これに伴って、シリンジの先端にスプレーノズルが封着されることで該シリンジ内に薬液が封入された投薬キットが提供されているが、かかる投薬キットは、衛生上の観点から薬液を封入したシリンジを加熱殺菌処理するに際し、シリンダ内の内圧の上昇でスプレーノズルから薬液が漏れ出てしまい、衛生上に問題がある上にシリンダ内の薬液が減ってしまう等といった問題があるとして、本出願人は、これらの問題を解決したシリンジ式投薬キット（薬液噴霧キット）を発明して既に特許出願（特願２００７−２１９６８４）している。
【０００４】
かかるシリンジ式投薬キットは、薬液を収容する筒状のシリンダの一端に連通連設された筒状の接続部にキャップが封着されるとともに、前記シリンダの軸心方向に移動可能にピストンが装填されることでシリンダ内に薬液が封入されたシリンジと、前記接続部に対して流体的に接続可能なスプレーノズルとを備えている。該シリンジ式投薬キットは、加熱殺菌処理に伴う内圧の上昇にキャップが対抗して薬液の漏れが防止され、処置を行う際にシリンジのキャップを取り外してスプレーノズルを取り付けることで、予め設定した投与量の薬液を噴霧できるようになっている。
【０００５】
ところで、上述のように薬液の封入されたシリンジに対して注射針やスプレーノズル等の先端具を取り付けるようにしたシリンジ式投薬キットは、何れもシリンジと先端具とが一組をなすため、シリンジ及び先端具が共通（単一）のブリスターパック等の包装材によって包装され、使用時まで不衛生な環境下に曝されることが防止されている。
【発明の開示】
【発明が解決しようとする課題】
【０００６】
しかしながら、前述の如く、上記構成のシリンジ式投薬キットは、シリンジ及び先端具が単一な包装材で包装されているものの、包装材の内部ではそれぞれが独立しているため、包装材を開封したときにシリンジ及び先端具のそれぞれが独立して飛び出してしまう場合がある。このようにシリンジ及び先端具が独立して飛び出すと、緊急を要する処置の最中にシリンジや先端具を探す等といった不必要な作業を要し、場合によっては、シリンジや先端具が床に落ちて不衛生な状態になってしまうことがある。そのため、従来のシリンジ式投薬キットは、緊急時であっても包装材の開封作業に注意を払わなければならならず、円滑な処置を阻害させる虞があった。
【０００７】
そこで、本発明は、斯かる実情に鑑み、使用直前までシリンジと先端具とが独立した状態になるのを防止した上で薬液が直接触れることになる先端具を衛生的な状態で維持させることができ、処置中に迅速に投薬できる状態にすることのできるシリンジ式投薬キットを提供することを課題とする。
【課題を解決するための手段】
【０００８】
本発明に係るシリンジ式投薬キットは、筒状のシリンダの一端に連通連設された筒状の接続部に対してキャップが取り外し可能に封着されるとともに、先端にピストンを有するプランジャーが軸線方向で移動可能にシリンダ内に装填されることで、前記シリンダ内に薬液が封入されたシリンジと、前記接続部に取り付け可能に構成され、該接続部を介してシリンダから流入する薬液を放出可能に構成された先端具とを備え、キャップを取り外した接続部に取り付けられた先端具から薬液を投与するように構成されたシリンジ式投薬キットであって、未使用の先端具を収容する収容ケースを備え、該収容ケースは、前記未使用の先端具が収容されるとともに該先端具を取り出すべく開封可能に構成された収容部と、該収容部に連設されて所定方向に延びる延出部とを備え、前記プランジャーには、基端から先端側に向けて延びて前記延出部が圧入される収容ケース取付部が形成されていることを特徴とする。
【０００９】
上記構成のシリンジ式投薬キットによれば、先端具が収容ケースの収容部に収容されているので、薬液を放出させる（薬液に直接触れることになる）先端具を衛生的な状態で維持させることができる。その上、収容ケースの延出部がプランジャーに形成された収容ケース取付部に圧入されていることで、収容ケースを介してシリンジと先端具とが一体的となるため、使用直前までシリンジと先端具とが別個独立した状態にならず取り扱いが便利である。すなわち、シリンダの接続部がキャップによって封止されたシリンジと先端具とを一体的な状態にすることができるので、シリンジ式投薬キット全体（シリンジ及び先端具）を単一な包装材で包装し、この包装材を開封してもシリンジと先端具とが独立して（バラバラになって）飛び出すことがない。これにより、緊急時においてもシリンジ及び先端具がバラバラになってこれらを探す等といった不必要な作業が発生することがなく、円滑な処置を行うことができる。また、上述の如く、先端具が収容ケースの収容部に収容されているため、シリンジのキャップを取り外すときに先端具を何れかの場所に載置しても衛生的な状態にすることができる。
【００１０】
そして、前記シリンジは、シリンダ内に薬液が封入されているので、シリンジに薬液を移し替えるといった作業を行うことなく、キャップを取り外して接続部に先端具を取り付けるだけで、薬液を投与できる状態にすることができる。また、収容ケースを把持しつつ先端具を接続部に取り付ければ、薬液の触れる先端具を直接持つことなく取り付けることができ衛生的である。特に、延出部を把持し易い長さにしておけば、収容ケースの取り扱いが容易になる上に、収容部を開封した状態で該収容部側を持たずにすみ、収容部内の先端具に手が触れる等といったことが防止されて衛生的である。
【００１１】
本発明の一態様として、前記収容ケース取付部は、円筒状に形成される一方、前記延出部は、収容部側の基端から先端側に向けて先細りして外観円錐状又は円錐台状に形成されていることが好ましい。このようにすれば、延出部を収容ケース取付部に圧入すると楔作用によって延出部を収容ケース取付部に確実に取り付けること（シリンジと先端具とを一体的にすること）ができる。
【００１２】
この場合、前記延出部の外周又は収容ケース取付部の内周の少なくとも何れか一方には、周方向に間隔をあけて延出部の圧入方向に延びる複数の凸条が形成されていることが好ましい。このようにすれば、延出部の外周又は収容ケース取付部の内周に対して相手方の複数の凸条が周方向に間隔をあけて接触することになり、接触抵抗を小さくすることができる。従って、上述の楔作用で収容ケースをプランジャーに確実に取り付けることができる上に該プランジャーから収容ケースを容易に取り外すことができる。
【００１３】
本発明の他態様として、前記収容部は、少なくとも一端に開口を形成し、且つ先端具を包囲するように筒状に形成された壁部と、該壁部の一端開口を封止するように、壁部の一端に剥離可能に貼着されたシート状の蓋材とを備え、前記延出部は、前記壁部の他端に直接的又は間接的に連設されていてもよい。このようにすれば、蓋材を剥離することで収容部が開放状態となるため、収容した先端具を容易に取り出すことができる。
【００１４】
この場合、前記先端具は、接続部に螺合可能に構成された外観円柱状のスプレーノズルであり、前記収容部は、収容した先端具が壁部と同心又は略同心となるよう、壁部の内周面が先端具の外周面に接触又は略接触するように壁部の内径が設定されてもよい。このようにすれば、蓋材を剥離させるとき等において、先端具が壁部に保持された状態となるので、収容部の開封を容易に行うことができる。
【発明の効果】
【００１５】
本発明に係るシリンジ式投薬キットによれば、使用直前までシリンジと先端具とが独立した状態になるのを防止した上で薬液が直接触れることになる先端具を衛生的な状態で維持させることができ、処置中に迅速に投薬できる状態にすることができるという優れた効果を奏し得る。
【発明を実施するための最良の形態】
【００１６】
以下、本発明の一実施形態に係るシリンジ式投薬キットについて、添付図面を参照しつつ説明する。
【００１７】
かかるシリンジ式投薬キットは、処置に応じた薬液を投与するためのもので、本実施形態においては、外科手術（特には、消化器系外科手術）の術後に創傷部治癒に伴う臓器同士の癒着を防止する薬液（癒着防止液）を患部に噴霧することで薬液を投与することを対象としている。なお、癒着防止液としては、癒着防止成分を注射用水に溶解したものが採用され、例えば、トレハロースの５％〜１５％溶液が採用される。
【００１８】
本実施形態に係るシリンジ式投薬キットは、図１に示す如く、筒状のシリンダ１００の一端に連通連設された筒状の接続部１０１に対してキャップ１０２が取り外し可能に封着されるとともに、先端にピストン１１１を有するプランジャー１１０が軸線方向で移動可能にシリンダ１００内に装填されることで、前記シリンダ１００内に薬液が封入されたシリンジ１０と、前記接続部１０１に取り付け可能に構成され、該接続部１０１を介してシリンダ１００から流入する薬液を放出可能に構成されたスプレーノズル（先端具）２０と、前記スプレーノズル２０を収容する収容ケース３０とを備えている。該シリンジ式投薬キット１は、前記キャップ１０２を取り外した接続部１０１に取り付けられたスプレーノズル２０から薬液を噴霧して投与するように構成されている。
【００１９】
前記シリンダ１００及び接続部１０１は、一体的に樹脂成形されている。前記シリンダ１００は、略円筒状に形成されており、一端部に径方向内方に延出した円環状部１０３が形成され、他端部に径方向外方に延出した一対のフランジ１０４，１０４が形成されている。本実施形態においては、薬液の一回の使用分として、５ｍｌ〜１００ｍｌ、好ましくは、１０ｍｌ〜５０ｍｌに設定され、前記シリンダ１００は、装填されたピストン１１１がシリンダ１００の他端側に位置した状態で、５ｍｌ〜１００ｍｌ、好ましくは、１０ｍｌ〜５０ｍｌの薬液を収容できる内部空間が形成されるように、内径及び軸線方向の長さが設定されている。
【００２０】
前記接続部１０１は、シリンダ１００よりも小径な円筒状に形成されている。そして、該接続部１０１は、前記円環状部１０３の内周に一端部が接続され、他端側がシリンダ１００の一端よりも外方に延出している。本実施形態に係る接続部１０１は、外周に雄ねじ（採番しない）が形成されており、キャップ１０２及びスプレーノズル２０を螺着できるようになっている。
【００２１】
前記キャップ１０２は、シリンダ１００内の内圧上昇に抗して接続部１０１に対する封着状態を維持可能で且つ取外し可能に設けられている。本実施形態に係るキャップ１０２は、ゴムや樹脂等の弾性材料を成形したもので、この弾性材料として、例えば、イソプレンゴムやスチレン系エラストマー等を採用することができ、本実施形態においては、イソプレンゴムを採用している。該キャップ１０２は、接続部１０１に取り付けた状態で接続部１０１の先端開口を閉塞できるようになっている。すなわち、該キャップ１０２は、接続部１０１の雄ねじと螺合する雌ねじ（採番しない）が内周面に形成された非貫通状態の穴１０５が穿設されており、該穴１０５の奥部（奥部の面）で接続部１０１の先端開口を封止するようになっている。
【００２２】
前記プランジャー１１０は、前記ピストン１１１をシリンダ１００内で該シリンダ１００の軸線方向に移動させるべく、一方向を長手にして延びるプランジャー本体１１２と、該プランジャー本体１１２の長手方向の一端部に連設された押圧部１１３と、プランジャー本体１１２の長手方向の他端部に連設されたピストン連結部１１４と、該ピストン連結部１１４に取り付けられた前記ピストン１１１とを備えている。
【００２３】
前記プランジャー本体１１２は、長手方向と直交する方向の断面が十字状に形成されている。プランジャー本体１１２は、ピストン連結部１１４に連結されたピストン１１１がシリンダ１００の一端側に位置した状態で押圧部１１３がシリンダ１００の他端よりも外側に位置するように長手方向の長さが設定されている。なお、プランジャー本体１１２は、丸棒状や角棒状のものであってもよい。
【００２４】
前記押圧部１１３は、プレート状をなし、プランジャー本体１１２の長手方向に対して直交方向に拡がるように形成されている。そして、前記ピストン連結部１１４は、ピストン１１１の一端面と接着できるように平板状に形成されたり、ピストン１１１の一端面に形成された凹部（奥側に向けて内部空間が拡大する凹部）に圧入できるように、凹部の形状に対応して先端側ほど径が拡大するように形成されたりする。すなわち、ピストン１１１とピストン連結部１１４との連結は、種々の態様をとることができ、プランジャー１１０のピストン連結部１１４はピストン１１１との連結の態様に合わせて適正形成される。なお、本実施形態において、ピストン連結部１１４は、略円形をなすプレート状に形成され、プランジャー本体１１２に長手方向に延びる軸線と直交するように設けられており、該プランジャー１１０の先端側にある面にピストン１１１が、雄ねじ（プランジャー１１０側）と雌ねじ（ピストン１１１側）との螺合等により連結されている。
【００２５】
前記ピストン１１１は、ゴム等の弾性材料を成形したもので、この弾性材料として、例えば、イソプレンゴムやスチレン系エラストマー等を採用することができる。
【００２６】
該ピストン１１１は、シリンダ１００の内穴の形状に対応して形成されており、シリンダ１００の軸線方向で移動可能に該シリンダ１００内に圧入されている。本実施形態においては、シリンダ１００が略円筒状に形成されることから、本実施形態に係るピストン１１１は、略円柱状に形成され、外周にシリンダ１００の内径よりもやや大きめの外径に設定されたシール部１１１ａ…が径方向外方に突出して形成されている。これにより、シリンダ１００に装填した状態で、シール部１１１ａ…が変形してシリンダ１００の内周面に密接し、シリンダ１００内に封入した薬液の液漏れを防止できるようになっている。
【００２７】
本実施形態において、前記シール部１１１ａ…は、ピストン１１１の軸線方向に間隔をあけて複数箇所（図においては３カ所）に形成されている。これにより、上述のようなシール性（液漏れ防止）を担保しつつシリンダ１００の内周面との接触面積（抵抗）を小さくしてピストン１１１の移動を許容している。
【００２８】
本実施形態に係るプランジャー１１０は、上記構成に加え、収容ケース３０が取り付けられる収容ケース取付部１１５を備えている。該収容ケース取付部１１５は、収容ケース３０の後述する延出部３０１を圧入可能に構成されており、プランジャー１１０の基端から先端側（押圧部１１３からピストン連結部１１４）に向けて延びるように形成されている。
【００２９】
該収容ケース取付部１１５は、少なくとも一端が開口した円筒状に形成されており、本実施形態においては、他端が閉塞する一方で一端が前記押圧部１１３上で開口するように形成されている。すなわち、本実施形態に係る収容ケース取付部１１５は、プランジャー本体１１２及び押圧部１１３と一体的に成形されており、押圧部１１３上で開口するように形成されている。
【００３０】
本実施形態において、上述の如く、プランジャー本体１１２が断面十字状に形成されているため、収容ケース取付部１１５が形成されるプランジャー１１０の他端側においては、前記プランジャー本体１１２が収容ケース取付部１１５の外周から四方に向けて延出するように形成されている。該収容ケース取付部１１５は、内径が収容ケース３０の後述する延出部３０１の外径に対応して設定されており、少なくとも開口周縁部に対して延出部３０１の外周の一部が接触できる内径に設定されている。
【００３１】
本実施形態に係るシリンジ１０は、図２（ａ）、図２（ｂ）及び図３に示す如く、シリンダ１００及びキャップ１０２に筒状のシュリンク材Ｓを被嵌して該シュリンク材Ｓを収縮させることで一体的に包装されている。なお、シュリンク材Ｓとは、熱収縮性を有する材料で、本実施形態においては筒状にされることで、周方向に収縮するものが採用される。そして、筒状にされたシュリンク材Ｓは、一端側がキャップ１０２よりも外側に延出するようにシリンダ１００及びキャップ１０２に被嵌された上で熱収縮される。これにより、キャップ１０２の端面よりも外側に延出した部分が内側に倒れ込み、該キャップ１０２の端面における円環状の領域を押さえ込むようになっている。
【００３２】
該シュリンク材Ｓは、有色透明又は無色透明の樹脂フィルムであり、所定領域に薬液に関する情報や軸心方向に間隔をあけた目盛り等が印刷されている。本実施形態に係るシュリンク材Ｓは、接続部１０１とシリンダ１００との境界付近に切断可能な切断補助手段Ｌが設けられている。該切断補助手段Ｌは、シュリンク材Ｓのキャップ１０２を覆った部分を切除できるように、全周に亘って形成されており、例えば、ミシン目やカットテープ等（本実施形態においてはミシン目）で構成される。
【００３３】
本実施形態に係るシリンジ１０は、キャップ１０２と接続部１０１とが螺合によって接続されるとともに、シュリンク材Ｓの切断補助手段Ｌがミシン目で構成されているため、被嵌したシュリンク材Ｓとともにキャップ１０２を回すことで、シュリンク材Ｓが切断補助手段Ｌで切断されつつキャップ１０２と接続部１０１との螺合が解除されるようになっている。
【００３４】
なお、本実施形態にようにシュリンク材Ｓを筒状にするには、略四角形状の樹脂フィルムを筒状に丸めて重なり合う端部同士を接合すればよいが、その端部同士の接合は、接着剤を用いてもよいし、熱溶着（ヒートシール）で行ってもよい。
【００３５】
前記スプレーノズル２０は、図４及び図５に示す如く、接続部１０１に流体的に接続されるもので、図５及び図６に示す如く、接続部１０１に対して接続可能に構成されたノズル本体２００と、ノズル本体２００を介してシリンジ１０内から流入してくる薬液を二次側で分散させる第一ノズル体２０１と、該第一ノズル体２０１によって分散された薬液を霧状にして外部に放出させる第二ノズル体２０２とを備えている。
【００３６】
前記ノズル本体２００は、接続部１０１に対して略同心で挿入される円筒状の挿入部２００ａと、該挿入部２００ａの一端から径方向外方に延出する円環状の第一環状部２００ｂと、該第一環状部２００ｂの外周端縁に一端が接続されるとともに挿入部２００ａの周囲に前記接続部１０１を介在させる間隙を形成するように該挿入部２００ａの外側に配設され、内周面に前記接続部１０１と螺合される雌ねじが形成された円筒状の螺合部２００ｃと、該螺合部２００ｃの他端から径方向外方に延出する第二環状部２００ｄと、該第二環状部２００ｄの外周縁部に一端が接続されるとともに螺合部２００ｃの周囲に所定の間隙を形成するように該螺合部２００ｃの外側に配設された筒状の外装部２００ｅとを備えている。
【００３７】
上記構成のノズル本体２００は、挿入部２００ａと螺合部２００ｃとの間に接続部１０１を介入させるための隙間が形成されており、前記螺合部２００ｃの雌ねじに接続部１０１の雄ねじを螺合させることにより、挿入部２００ａが接続部１０１に挿入されるようになっている。また、該ノズル本体２００は、前記螺合部２００ｃと外装部２００ｅとの間に形成される環状の間隙に第二ノズル体２０２の後述する嵌入部２０２ｂが嵌め入れられるようになっている。一般的に雄ねじとこれに螺合する雌ねじは、ねじピッチ等が規格化されているが、本実施形態に係るスプレーノズル２０は、螺合部２００ｃの雌ねじ及び接続部１０１の雄ねじの径やねじピッチ等が規格外に設定されており、このキット１のシリンジ１０（接続部１０１）とスプレーノズル２０（ノズル本体２００）とだけが螺合できるようになっている。これにより、本実施形態に係るシリンジ式投薬キット１は、他のキットや装置等のシリンジやスプレーノズルと誤接続されるのを防止できるようになっている。
【００３８】
前記第一ノズル体２０１は、第一環状部２００ｂの外径と同径に設定された円板状の第一ノズル部２０１ａと、該第一ノズル部２０１ａの外周から該第一ノズル部２０１ａの一方の面側に延出する支持部２０１ｂとを備えており、該支持部２０１ｂを第一環状部２００ｂ上に配置することで、第一ノズル部２０１ａが第一環状部２００ｂと間隔をあけて対向した配置になるようになっている。前記第一ノズル部２０１ａには、薬液を通過させるための貫通穴２０３…が形成されている。該第一ノズル部２０１ａの貫通穴２０３…は、該第一ノズル部２０１ａの周方向に延びる円弧状の長穴で構成されており、前記周方向に間隔をあけて複数形成されている。これにより、該第一ノズル部２０１ａは、貫通穴２０３…を通過した薬液を二次側で分散させることができるようになっている。
【００３９】
第二ノズル体２０２は、外装部２００ｅの内径と同径に設定された円板状の第二ノズル部２０２ａと、該第二ノズル部２０２ａの外周から該第二ノズル部２０２ａの一方の面側に延出し、螺合部２００ｃと外装部２００ｅとの間に嵌入される筒状の嵌入部２０２ｂとを備えている。第二ノズル部２０２ａは、中心に貫通した微小なノズル穴２０４が穿設されており、一方の面に第一ノズル部２０１ａの他方の面に当接される突起２０５がノズル穴２０４周りに間隔をあけて複数設けられている。これにより、該第二ノズル体２０２は、嵌入部２０２ｂをノズル本体２００の環状の間隙に嵌め入れた状態で、突起２０５が第一ノズル部２０１ａに当接し、第二ノズル部２０２ａと第一ノズル部２０１ａとの間に薬液が流通する空間が形成されるようになっている。なお、本実施形態において、第二ノズル体２０２は、嵌入部２０２ｂがノズル本体２００（外装部２００ｅの内周及び螺合部２００ｃの外周）に超音波シール等により固定されている。上記構成のスプレーノズル２０は、外装部２００ｅが円筒状に形成されているため、外観円柱状を呈し、その一端側を接続部１０１に接続（螺合）した状態で、他端側にあるノズル穴２０４が接続部１０１と略同心になるように形成されている。
【００４０】
前記収容ケース３０は、図１及び図３に示す如く、スプレーノズル２０が収容されるとともに該スプレーノズル２０を取り出すべく開封可能に構成された収容部３００と、該収容部３００に連設されて所定方向に延びる延出部３０１とを備えている。
【００４１】
前記収容部３００は、少なくとも一端に開口を形成し、且つスプレーノズル２０を包囲するように筒状に形成された壁部３０２と、該壁部３０２の一端開口を封止するように、壁部３０２の一端に剥離可能に貼着されたシート状の蓋材３０３とを備えている。
【００４２】
前記収容部３００は、収容したスプレーノズル２０が筒状の壁部３０２と同心又は略同心となるよう、壁部３０２の内周面がスプレーノズル２０の外周が接触又は略接触する（微小な隙間を形成する）ように壁部３０２の内径が設定されている。また、該収容部３００は、収容したスプレーノズル２０が壁部３０２の開口端（蓋材３０３が貼着される一端）から外側に出ることのない深さに設定されている。これにより、該収容部３００は、蓋材３０３を剥離して一端開口が開放したときに、収容したスプレーノズル２０が外部にある何らかのものに触れることがなく、衛生的な状態を維持できるようになっている。そして、該収容部３００には、スプレーノズル２０が接続部１０１に接続される側を壁部３０２の開口側にして収容される。本実施形態に係る収容部３００は、壁部３０２の一端に径方向外方に延出した鍔部３０４が形成されており、その鍔部３０４の一面に蓋材３０３が剥離可能に貼着されている。
【００４３】
前記蓋材３０３は、壁部３０２の開口を閉塞する閉塞部３０３ａと、その閉塞部３０３ａの外周の一部から外側に突出した摘持片３０３ｂとで構成されており、前記閉塞部３０３ａの外周端部が鍔部３０４に対して貼着されている。これにより、摘持片３０３ｂを摘持して蓋材３０３を壁部３０２から離間させるように引っ張ることで、閉塞部３０３ａの外周端部を鍔部３０４から剥離させることができるようになっている。
【００４４】
前記延出部３０１は、収容ケース取付部１１５に圧入可能に形成されており、好ましい形態として外観円錐状又は円錐台状に形成される。本実施形態に係る延出部３０１は、外観円錐台状に形成されており、一端が他端に比して大径に設定されている。そして、本実施形態に係る延出部３０１は、収容部３００と一体的に成形されており、他端に向けて先細りするように筒状に形成され、収容部３００と内部が連通している。そして、本実施形態において、前記延出部３０１は、収容部３００と連設される一端部の外径が収容ケース取付部１１５の内径と略同径に設定されており、収容ケース取付部１１５に他端側から挿入して収容部３００が収容ケース取付部１１５の開口に接近した状態で収容ケース取付部１１５の内周に外周が圧接した状態（圧入された状態）になるように形成されている。
【００４５】
本実施形態において、前記収容部３００の壁部３０２の外径に比して延出部３０１の一端の外径が小径に設定されているため、収容部３００の他端開口縁部には内側に向けて延出したドーナツ板状の接続環状部３０５が形成されており、その接続環状部３０５の内周縁部に対して延出部３０１の一端外周縁部が接続されている。
【００４６】
そして、本実施形態に係る延出部３０１は、外周面に周方向に間隔をあけて軸線方向に延びる複数の凸条３０６…が形成されている。これにより、前記収容ケース取付部１１５に挿入（圧入）した状態で各凸条３０６…が収容ケース取付部１１５の内周に点接触した状態となり、過度に接触抵抗が作用しないようになっている。すなわち、延出部３０１が先細りに形成されることで、収容ケース取付部１１５に圧入した状態で楔作用が生じるため、延出部３０１の外周全周が収容ケース取付部１１５の内周全周に接触すると過度の力が作用して抜けにくくなるので、複数の凸条３０６…を設けて点接触させることで接触力を必要最小限にして取り外し易くなるようにしている。そして、該延出部３０１は、延出方向における外径の変化を考慮して収容ケース取付部１１５に圧入（取り付け）できる延出量に設定されていれば、収容ケース取付部１１５に対して取り付けるといった必要最小限の機能を達成し得るが、本実施形態においては、収容ケース取付部１１５に対する取り付けの確実性に加え、収容ケース３０の取り扱い易さを考慮して、収容ケース取付部１１５に圧入（取り付け）でき且つ使用者が把持しやすい十分な延出量に設定されている。
【００４７】
本実施形態に係るシリンジ式投薬キット１は、図７に示す如く、上記構成のシリンジ１０とスプレーノズル２０とが一体的に包装されることで流通過程におかれる。該シリンジ式投薬キット１の包装形態は特に限定されるものではないが、本実施形態においては、ブリスターパック５によって包装されている。
【００４８】
ブリスターパック５とは、包装対象物の形状に対応した凹部５００を形成するようにフィルム材をプレス成形した包装材本体５０に対し、凹部５００に包装対象物を嵌め込んだ上で、該凹部５００を塞ぐように平らなフィルム又は厚手のシートからなるカバー材５１を剥離可能に貼着する包装形態である。
【００４９】
従って、本実施形態において、包装材本体５０には収容ケース３０を介して一体的になったシリンジ１０及びスプレーノズル２０を嵌め込む凹部５００が形成されており、該凹部５００内のシリンジ１０及びスプレーノズル２０が脱落しないように包装材本体５０にカバー材５１が剥離可能に貼着される。なお、内容物を確認できるように、包装材本体５０及びカバー材５１の少なくとも何れか一方を、有色透明又は無色透明に構成することが好ましい。
【００５０】
本実施形態に係るシリンジ式投薬キット１は、以上の構成からなり、次に使用方法（作用）について説明する。該シリンジ式投薬キット１は、上述の如く、術後の癒着を防止するために薬液を患部に吹き付けるものであるため、患部（臓器）が露呈する外科手術中に用いられる。そして、該シリンジ式投薬キット１は、封入された薬液の容量が５ｍｌ〜１００ｍｌ、好ましくは、１０ｍｌ〜５０ｍｌに設定されているため、その処置で必要であろうとする容量となるセット数が予め用意される。
【００５１】
そして、図８（ａ）に示す如く、薬液を患部に吹き付ける前に、ブリスターパック５を開封し、シリンジ１０及びスプレーノズル２０を一体的な状態で取り出し、図８（ｂ）に示す如く、シュリンク材Ｓを切断補助手段Ｌで切断し、該シュリンク材Ｓのキャップ１０２を押さえ込んでいた部分を除去する。そして、図８（ｃ）に示す如く、収容ケース３０をプランジャー１１０から取り外し、キャップ１０２を接続部１０１から取り外す。そして、図８（ｄ）に示す如く、収容部３００の蓋材３０３を剥離して壁部３０２の一端開口を開放した上で、収容ケース３０内のスプレーノズル２０を接続部１０１に接続する。本実施形態において、収容部３００の一端開口側にスプレーノズル２０の接続部１０１に接続する側が位置しているため、収容ケース３０の延出部３０１又は収容部３００の外側を把持した状態で収容部３００内のスプレーノズル２０に対して接続部１０１を螺合した上で収容部３００からシリンジ１０と一体になったスプレーノズル２０を抜き取る。これにより、薬液が付着するスプレーノズル２０を直接把持することなくシリンジ１０に接続することができる。そして、図８（ｅ）に示す如く、プランジャー１１０（押圧部１１３）を押すことで、シリンダ１００内の薬液がノズル穴２０４から患部に向けて噴霧されることになる。
【００５２】
以上のように、本実施形態に係るシリンジ式投薬キット１によれば、スプレーノズル２０が収容ケース３０の収容部３００に収容されているので、薬液を放出させる（薬液に直接触れることになる）スプレーノズル２０を衛生的な状態で維持させることができる。その上、収容ケース３０の延出部３０１がプランジャー１１０に形成された収容ケース取付部１１５に圧入されていることで、収容ケース３０を介してシリンジ１０とスプレーノズル２０とが一体的となるため、使用するまでにシリンジ１０とスプレーノズル２０とが別個独立した状態にならず取り扱いが便利である。すなわち、シリンダ１００の接続部１０１がキャップ１０２によって封止されたシリンジ１０とスプレーノズル２０とが一体的な状態にすることができるので、シリンジ式投薬キット１全体をブリスターパック５等の包装材で包装し、この包装材を開封してもシリンジ１０とスプレーノズル２０とが独立して飛び出すことがない。これにより、緊急時においてもシリンジ１０及びスプレーノズル２０を確実に取り出すことができる。また、上述の如く、スプレーノズル２０が収容ケース３０の収容部３００に収容されているため、シリンジ１０のキャップ１０２と取り外すときにスプレーノズル２０を何れかの場所に載置しても衛生的な状態にすることができる。
【００５３】
そして、薬液を収容した筒状のシリンダ１００の一端に連通連設された筒状の接続部１０１にキャップ１０２が取り外し可能に封着されるとともに、前記シリンダ１００の軸心方向に移動可能にピストン１１１が先端側からシリンダ１００内に装填され、シリンダ１００内に薬液が封入されたシリンジ１０と、前記接続部１０１に取り付け可能に構成されているので、シリンジ１０に薬液を移し替えるといった作業を行うことなく、キャップ１０２を取り外して接続部１０１にスプレーノズル２０を取り付けるだけで、シリンダ１００内に封入した薬液を投与できる状態にすることができる。また、接続部１０１に対するスプレーノズル２０の取り付けを、収容ケース３０を把持しつつ行えば、薬液の触れるスプレーノズル２０を直接持つことなく取り付けることができ衛生的である。
【００５４】
さらに、前記収容ケース取付部１１５は、円筒状に形成される一方、前記延出部３０１は、先端側に向けて先細りして外観円錐台状に形成されているので、延出部３０１を収容ケース取付部１１５に圧入すると楔作用によって延出部３０１を収容ケース取付部１１５に確実に取り付けることができる。
【００５５】
特に、本実施形態に係る延出部３０１は、外周面に対して周方向に間隔をあけて軸線方向に延びる複数の凸条３０６…が形成されているので、収容ケース取付部１１５の内周に対して複数の凸条３０６…が周方向に間隔をあけて接触することになり、接触抵抗を小さくすることができる。従って、上述の楔作用で確実に取り付けることができる上に収容ケース３０の取り外しを容易にすることができる。
【００５６】
また、前記収容部３００は、前記スプレーノズル２０を収容した少なくとも一端が開口する筒状の壁部３０２が形成されるとともに該壁部３０２の開口端がシート状の蓋材３０３によって剥離可能に封止されているので、蓋材３０３を剥離することで収容部３００が開放状態となるため、収容したスプレーノズル２０を容易に取り出すことができる。特に、本実施形態においては、スプレーノズル２０が接続部１０１と接続される一端側を収容部３００（壁部３０２）の開口側に位置するように該収容部３００に収容するようにしているので、収容部３００からスプレーノズル２０を取り出すことなくシリンジ１０の接続部１０１に接続することができ、衛生的である。
【００５７】
さらに、先端具として接続部１０１に螺合可能に構成された外観円柱状のスプレーノズル２０を採用し、該スプレーノズル２０が前記収容ケース３０の壁部３０２の内面に外周面を略接触させるように挿入されているので、蓋材３０３を剥離させるとき等において、スプレーノズル２０が壁部３０２に保持された状態となり、スプレーノズル２０を脱落させることなく収容部３００の開封を容易且つ確実に行うことができる。
【００５８】
尚、本発明のシリンジ式投薬キットは、上記実施形態に限定されるものではなく、本発明の要旨を逸脱しない範囲内において種々変更を加え得ることは勿論である。
【００５９】
上記実施形態において、薬液を患部に向けて噴霧することで投薬することを前提に、シリンジ１０内に薬液として癒着防止剤を封入したが、患部に向けて噴霧する薬液はこれに限定されるものではなく、例えば、消毒液や目薬等のように患部に対して吹き付ける薬液であってもよい。
【００６０】
また、上記実施形態において、薬液を噴霧することを前提に、シリンジ１０の接続部１０１に接続される先端具としてスプレーノズル２０を採用したが、例えば、薬液を注射することを目的とする場合には、先端具２０として注射針を採用してもよい。この場合、注射針は、接続部１０１に螺合される被接続部と、該被接続部に連通連設された筒状の針とで構成されるため、収容ケース３０は、被接続部及び針を収容できる形態にすればよい。この場合、上記実施形態の如く、延出部３０１を前記収容部３００（筒状の壁部３０２）に連通連設した筒状に形成し、上記実施形態における筒状の壁部３０２を被接続部が収容される収容部３００の一部とするとともに、延出部３０１を注射針の針が収容される収容部３００の一部としてもよい。すなわち、収容ケース取付部１１５に圧入される延出部３０１を収容部３００の一部として兼用してもよい。このようにしても、未使用時において注射針とシリンジ１０とを一体的にした状態にすることができる一方、使用時において注射針を収容ケース３０から取り出すことなく接続部１０１に接続することができる。
【００６１】
上記実施形態において、螺合部２００ｃの雌ねじ及び接続部１０１の雄ねじの外径やねじピッチ等を規格外に設定し、同一キット１のシリンジ１０（接続部１０１）とスプレーノズル２０（ノズル本体２００）とだけを螺合できるようにしたが、これに限定されるものではなく、例えば、螺合部２００ｃの雌ねじ及び接続部１０１の雄ねじを一般的な規格に合わせて形成してもよい。但し、このようにすると、異なるキットのシリンジとスプレーノズルとが誤接続される虞があるので、上記実施形態のように同一キット内の部品同士のみを接続できるようにすることが好ましい。
【００６２】
上記実施形態において、スプレーノズル２０とシリンジ１０の接続部１０１とを螺合することを前提に、スプレーノズル２０の外周が収容部３００の壁部３０２の内周に接触することによる抵抗で、接続部１０１に対する取り付け時における収容部３００とスプレーノズル２０との相対的な回転（スプレーノズル２０の供回り）を規制するようにしたが、スプレーノズル２０とシリンジ１０とを螺合させたり、互いに相対的に回転させたりすることで、スプレーノズル２０を接続部１０１に接続する場合、例えば、スプレーノズル２０の外形及び収容部３００の壁部３０２の内形を互いに嵌合可能な多角形状に形成したり、スプレーノズル２０の外周又は収容部３００の内周の何れか一方に係止用の凸部を設けるとともに、他方に挿入方向に延びて係止用の凸部が挿入される溝を設けるようにしたりしてもよい。このようにすれば、スプレーノズル２０と収容部３００との嵌合、或いは凸部と溝との嵌合によってスプレーノズル２０と収容部３００との相対的な回転が規制されるので、収容ケース３０を介してスプレーノズル２０を円滑に回転させることができ、また、接続後において回転中心となる軸線方向に収容ケース３０を移動させることで収容部３００をスプレーノズル２０から取り外すことができる。
【００６３】
上記実施形態において、スプレーノズル２０の外周が収容部３００の壁部３０２の内周に接触するようにしてスプレーノズル２０を保持できるようにしたが、これに限定されるものではなく、収容部３００はスプレーノズル（先端具）２０を収容できる形態、サイズに設定されればよい。従って、先端具２０における接続部１０１の接続側を壁部３０２の一端開口側に位置させる必要はないが、先端具２０と接続部１０１との接続の容易性や衛生上の観点から上記実施形態と同様にすることが好ましいことは言うまでもない。
【００６４】
上記実施形態において、収容ケース３０の延出部３０１を筒状に形成したが、これに限定されるものではなく、例えば、延出部３０１を中実に形成してもよい。また、延出部３０１を先細りした外観円錐台状に形成したが、例えば、外観円錐状に形成しても勿論よい。また、延出部３０１は、必ずしも先細りしたものに限定されるものではなく、延出方向と直交する方向の断面形状が一定なもの（例えば、円柱が角柱等）であってもよい。但し、収容ケース取付部１１５は、延出部３０１を圧入できる形態にできることは勿論のことである。
【００６５】
上記実施形態において、延出部３０１の外周のみに複数の凸条３０６…を設けたが、これに限定されるものではなく、例えば、延出部３０１の外周に凸条３０６を設けることなく、収容ケース取付部１１５の内周に対し、周方向に間隔をあけて延出部３０１の圧入方向に延びる複数の凸条を設けてもよいし、延出部３０１の外周及び収容ケース取付部１１５の内周のそれぞれに複数の凸条を設けても勿論よい。このようにすれば、上記実施形態で説明したように、延出部３０１を収容ケース取付部１１５に圧入したときに複数の凸条が相手方に点又は線接触した状態となって接触抵抗が小さくなるので、収容ケース３０の取り外しを容易に行うことができる。
【００６６】
また、上記実施形態において、延出部３０１の外周に複数の凸条３０６…を設けたが、これに限定されるものではなく、例えば、延出部３０１の外周を均一面で形成してもよい。但し、延出部３０１の外周を均一面で構成すれば、上述したように楔作用によって延出部３０１が収容ケース取付部１１５に強固に取り付けられる虞があるので、上述の如く、延出部３０１の外周又は収容ケース取付部１１５の内周の少なくとも何れか一方に、複数の凸条を設けて接触抵抗を小さくして取り外しを容易にすることが好ましい。
【００６７】
上記実施形態において、収容ケース３０の収容部３００と延出部３０１とを一体成形したが、これに限定されるものではなく、例えば、延出部３０１をゴム等の弾性材料で棒状に形成し、収容ケース取付部１１５に挿入したときに延出部３０１の外周が収容ケース取付部１１５の内周に密接するようにしてもよい。このようにしても延出部３０１が収容ケース取付部１１５に圧入されて状態となり、収容ケース３０を介してシリンジ１０と先端具２０とを一体的な状態にすることができる。
【００６８】
また、先端具としてスプレーノズル２０を採用する場合、スプレーノズル２０は上記実施形態に限定されるものではなく、例えば、第一ノズル体２０１に換えて薬液を旋回流として放出するワーラーを設けたものであってもよい。また、ノズル穴２０４から薬液が垂れるのを防止した液だれ防止弁を内装するようにしてもよい。すなわち、スプレーノズル２０は薬液を噴霧するときの噴霧パターンが処置に応じたパターンとなるものを適宜採用すればよい。但し、接続部１０１に対して流体的に接続できる構成であることはいうまでもない。
【００６９】
上記実施形態において、スプレーノズル２０を完全に収容できるサイズに収容ケース３０の収容部３００を設定したが、例えば、収容部３００は、収容したスプレーノズル２０の一部が外部に位置するサイズに設定するとともに、蓋材３０３を外部に位置するスプレーノズル２０の一部を覆うことのできる形態にし、該蓋材３０３を収容部３００に取り外し可能に取り付けるようにしてもよい。但し、このようにすると、蓋材３０３を取り外したときにスプレーノズル２０の一部が外部に位置するので、周囲と接触してしまったときに不衛生な状態となってしまうため、収容部２０は、上記実施形態のようにスプレーノズル２０が完全に収容されるサイズに設定することが好ましいことは言うまでもない。
【００７０】
上記実施形態において、延出部３０１の基端が壁部３０２の内径よりも小径に設定されたために接続環状部３０５を介して収容部３００（壁部３０２）と延出部３０１とを連結したが、これに限定されるものではなく、例えば、壁部３０２の他端に延出部３０１の基端を直接連結するようにしてもよい。
【００７１】
上記実施形態において、収容ケース取付部１１５を筒状に形成したが、これに限定されるものではなく、例えば、図９（ａ）に示す如く、押圧部１１３に延出部３０１を挿入する開口を形成するとともに、その開口に繋がる空間がプランジャー１１０の先端側に延びるように、プランジャー本体１１２の一端側の中央部を除去した態様、すなわち、上記実施形態において収容ケース取付部１１５の周囲から四方に延出した部分（片）を残して該収容ケース取付部１１５を除去した態様にして収容ケース取付部１１５としてもよい。このようにすれば、押圧部１１３上に形成される開口から挿入された延出部３０１がプランジャー本体１１２と干渉することがない。そして、延出部３０１が上記実施形態のように先細りに形成されれば、基端部が開口周縁に圧接して収容ケース３０を取り付けることができ、延出部３０１を軸線方向において均一な断面とした場合には、押圧部１１３上の開口周縁やプランジャー本体１１２（片）が周方向に間隔をあけて圧接して収容ケース３０を取り付けることができる。また、図９（ｂ）に示す如く、プランジャー本体１１２を円柱状や多角柱状に形成する場合には、押圧部１１３上に開口を形成するようにプランジャー本体１１２の一端から他端側に向けて穴を穿設して収容ケース取付部１１５としてもよい。
【００７２】
上記実施形態において、スプレーノズル２０を収容部３００から取り出す前に接続部１０１と螺合できるようにしたが、これに限定されるものではなく、例えば、収容部３００から取り出したスプレーノズル２０を接続部１０１に螺合させるようにしてもよい。従って、収容部３００の開封態様は壁部３０２の一端開口を閉塞する蓋材３０３を剥離可能としたものに限定されるものではなく、例えば、図１０（ａ）及び図１０（ｂ）に示す如く、延出部３０１を折ることで収容部３００（壁部３０２）の他端側が開放されるようにしてもよい。この場合、先端具（スプレーノズル）２０における接続部１０１に接続される側を壁部３０２の他端側（延出部３１０）側に位置するように先端具２０を収容部３００に収容することで、上記実施形態と同様に収容部３００から取り出すことなく先端具２０を接続部１０１に接続することができる。また、収容部３００は、壁部３０２の一部を除去することで開封できるようにしたもの等であってもよい。
【００７３】
上記実施形態において、シリンジ１０の接続部１０１にスプレーノズル２０及びキャップ１０２を螺合することで互いに接続するようにしたが、これに限定されるものではなく、例えば、先端具２０及びキャップ１０２を接続部１０１に対して圧入状態で嵌合して接続できるようにしてもよい。また、先端具２０及びキャップ１０２に接続部１０１側に突出した凸部を形成するとともに、接続部１０１に前記凸部をシリンダ１００の軸線方向に案内した後に該シリンダ１００の周方向に案内する係合溝を形成するようにしたり、また、接続部１０１に先端具２０側に突出した凸部を形成するとともに、先端具２０及びキャップ１０２に前記凸部をシリンダ１００の軸線方向に案内した後に該シリンダ１００の周方向に案内する係合溝を形成するようにしたりしてもよい。但し、何れの場合も、ピストン１１１を付勢したとき（薬液を押し出すとき）に作用する圧力に抗してスプレーノズル２０と接続部１０１との接続状態を維持できるようにすることは勿論のことである。また、キャップ１０２もスプレーノズル２０と同様にすることは勿論のことである。
【００７４】
上記実施形態において、シリンジ式投薬キット１（シリンジ１０及びスプレーノズル２０）をブリスターパック５で一体的に包装するようにしたが、これに限定されるものではなく、例えば、シリンジ式投薬キット１を袋に入れて真空パックするようにしてもよいし、シリンジ式投薬キット１を箱に入れるようにしてもよい。すなわち、収容ケース３０を介して先端具２０とシリンジ１０とが一体的にされ、開封時にバラバラになることがないため、シリンジ１０とスプレーノズル２０とを一体的にできる包装形態であれは種々変更可能である。
【００７５】
上記実施形態において、キャップ１０２をゴム等の弾性材料で成形したが、キャップ１０２は、接続部１０１の開口を液密に封止できればよく、例えば、上記実施形態のように全体をゴム等の弾性材料で成形したり、穴の奥部に弾性材料からなるパッキンを内装したりして、接続部１０１との螺合による軸心方向の締め付け力を穴の奥部又はパッキンに作用させて封止状態になるように構成してもよい。
【図面の簡単な説明】
【００７６】
【図１】本発明の一実施形態に係るシリンジ式投薬キットの構成を説明するための分解斜視図を示す。
【図２】同実施形態に係るシリンジ式投薬キットのシリンダ内に薬液が封入された状態の斜視図であって、（ａ）は全体斜視図を示し、（ｂ）は収容ケースを取り外した状態の斜視図を示す。
【図３】同実施形態に係るシリンジ式投薬キットのシリンダ内に薬液が封入された状態の縦断面図を示す。
【図４】同実施形態に係るシリンジ式投薬キットの接続部にスプレーノズルを接続した状態の斜視図を示す。
【図５】同実施形態に係るシリンジ式投薬キットの接続部にスプレーノズルを接続した状態の縦断面図及びスプレーノズルを含む部分拡大断面図を示す。
【図６】同実施形態に係るシリンジ式投薬キットのスプレーノズルの分解斜視図を示す。
【図７】同実施形態のシリンジ式投薬キットをブリスターパックで包装した状態の斜視図を示す。
【図８】同実施形態に係るシリンジ式投薬キットの使用態様を説明するための斜視図であって、（ａ）は、シリンジ及びスプレーノズルを一体的にしてブリスターパックから取り出した状態を示し、（ｂ）は、シュリンク材を除去した状態を示し、（ｃ）は、キャップ及び収容ケースを取り外した状態を示し、（ｄ）は、収容ケースを用いてスプレーノズルを接続部に接続する状態を示し、（ｅ）は、スプレーノズルを接続部に取り付けた状態を示す。
【図９】本発明の他実施形態に係るシリンジ式投薬キットの構成を説明するための斜視図であって、（ａ）は、収容ケース取付部が延出部の周方向に間隔をおいて配設される片（プランジャ本体）で構成されているシリンジ式薬液キットの斜視図を示し、（ｂ）は、プランジャー本体が中実に形成され、収容ケース取付部がプランジャー本体に穿設された穴で構成されているシリンジ式薬液キットの斜視図を示す。
【図１０】本発明の別の実施形態に係るシリンジ式投薬キットの収容ケースの斜視図であって、（ａ）は、収容ケースに先端具を収容した状態を示し、（ｂ）は、収容部を開封した状態を示す。
【符号の説明】
【００７７】
１…シリンジ式投薬キット、５…ブリスターパック、１０…シリンジ、２０…スプレーノズル（先端具）、３０…収容ケース、５０…包装材本体、５１…カバー材、１００…シリンダ、１０１…接続部、１０２…キャップ、１０３…円環状部、１０４…フランジ、１０５…穴、１１０…プランジャー、１１１…ピストン、１１１ａ…シール部、１１２…プランジャー本体、１１３…押圧部、１１４…ピストン連結部、１１５…収容ケース取付部、２００…ノズル本体、２００ａ…挿入部、２００ｂ…第一環状部、２００ｃ…螺合部、２００ｄ…第二環状部、２００ｅ…外装部、２０１…第一ノズル体、２０１ａ…第一ノズル部、２０１ｂ…支持部、２０２…第二ノズル体、２０２ａ…第二ノズル部、２０２ｂ…嵌入部、２０３…貫通穴、２０４…ノズル穴、２０５…突起、３００…収容部、３０１…延出部、３０２…壁部、３０３…蓋材、３０３ａ…閉塞部、３０３ｂ…摘持片、３０４…鍔部、３０５…接続環状部、３０６…凸条、５００…凹部、Ｓ…シュリンク材
【図１】
0005222547.tif 000002
【図２】
0005222547.tif 000003
【図３】
0005222547.tif 000004
【図４】
0005222547.tif 000005
【図５】
0005222547.tif 000006
【図６】
0005222547.tif 000007
【図７】
0005222547.tif 000008
【図８】
0005222547.tif 000009
【図９】
0005222547.tif 000010
【図１０】
0005222547.tif 000011